(57)【要約】【課題】ユーザが他のユーザの予約に係るテレビジョン番組以外を視聴又は録画するためにチャンネルの設定を変更してもよいか否かを判断して、他の番組を視聴又は録画することができるテレビジョン装置を提供する。【解決手段】テレビジョン装置は、番組が選択されて予約を受け付けた場合、予約に対する付加情報として予約者識別情報及び重要度情報を受け付け、予約する番組の開始・終了時刻及びチャンネルと対応付けて記憶しておく。予約時刻に到達して、予約に係る番組を出力中にチャンネルの設定を変更する操作を受け付けた場合は（Ｓ２０４：ＹＥＳ）、予約に係る付加情報として記憶している予約者識別情報及び重要度情報を出力する（Ｓ２０５）。【選択図】図３
2008061138.tif 000002
【特許請求の範囲】
【請求項１】
テレビジョン放送の信号を受信する手段と、チャンネルの設定を受け付ける手段と、設定されたチャンネルに基づいて、受信したテレビジョン放送の信号を出力する手段と、予約時刻に、予約チャンネルに設定する予約を受け付ける予約受付手段と、受け付けた予約に基づいて、予約時刻に到達した場合は予約チャンネルへチャンネルの設定を変更する手段とを備えるテレビジョン装置において、
前記予約受付手段で予約を受け付ける場合に、付加情報の入力を受け付ける手段と、
予約に対応付けて前記付加情報を記憶する手段と、
予約に基づくテレビジョン放送の信号の出力中に、チャンネルの設定を受け付けた場合、
予約に基づくテレビジョン放送の信号を出力中である旨を出力する手段と、
予約に対応する付加情報を出力する手段と
を備えることを特徴とするテレビジョン装置。
【請求項２】
予約に基づくテレビジョン放送の映像信号の出力中にチャンネルの設定を受け付けた場合、チャンネルの設定を変更するか否かの選択を受け付ける手段と、
変更する選択を受け付けた場合は、予約に基づくテレビジョン放送の信号の出力中であることに拘わらずチャンネルの設定を変更する手段と
を備えることを特徴とする請求項１に記載のテレビジョン装置。
【請求項３】
予約時刻に到達し、予約されたチャンネルへ設定を変更する場合に、
予約チャンネルへ設定を変更する旨を出力する手段と、
予約に係る前記付加情報を出力する手段と、
予約チャンネルへの設定の変更を実行するか否かの選択を受け付ける手段と、
予約チャンネルへの設定の変更を実行しない選択を受け付けた場合は、予約に拘わらず、チャンネルの設定の変更を中止する手段と
を備えることを特徴とする請求項１又は２に記載のテレビジョン装置。
【請求項４】
前記予約受付手段で予約を受け付ける場合に、
受け付けた予約時刻と他の予約の予約時刻とが重複しているか否かを判断する手段と、
他の予約と予約時刻が重複していると判断したとき、他の予約に係る付加情報を出力する手段と
を備えることを特徴とする請求項１乃至３の何れか一つに記載のテレビジョン装置。
【請求項５】
前記付加情報は、予約者を識別する予約者識別情報及び予約の重要度を示す重要度情報、又は何れか一方であること
を特徴とする請求項１乃至４の何れか一つに記載のテレビジョン装置。
【発明の詳細な説明】
【技術分野】
【０００１】
本発明は、テレビジョン放送の視聴又は録画について予約が可能なテレビジョン装置に関し、特に、予約の際に付加情報を対応付けて記憶しておき、予約に基づく視聴又は録画中に他のチャンネルへ設定を変更する操作を受け付けた場合、対応する付加情報を出力するテレビジョン装置に関する。
【背景技術】
【０００２】
近年、テレビジョン放送のアナログからデジタルへの移行に向けて、デジタルテレビジョン放送を受信し映像信号を出力することが可能なテレビジョン装置を備える表示装置及び記録装置が普及している。
【０００３】
これまでのアナログ放送では、映像信号及び音声信号を電波に乗せて伝播する。テレビジョン装置は当該電波を受信して、受信した電波から設定されたチャンネルに対する帯域の映像信号及び音声信号を抽出する。テレビジョン装置は、抽出した映像信号を表示装置を介して表示させることに同期して音声信号を音声出力装置を介して出力し、テレビジョン放送をユーザに視聴させることができる。
【０００４】
一方デジタル放送では、映像信号及び音声信号をＭＰＥＧ−２（Ｍｏｖｉｎｇ  Ｐｉｃｔｕｒｅ  Ｅｘｐｅｒｔ  Ｇｒｏｕｐ−２）規格に準拠したデジタルデータに圧縮変換し、圧縮したデジタルデータを電波に乗せる。デジタル放送規格で採用されているＭＰＥＧ−２規格では映像信号及び音声信号の他に、文字データ又は画像データ等の情報をもデジタルデータに含むことができる。そのため、デジタル放送規格ではテレビジョン放送の番組表を示すＥＰＧ（Ｅｌｅｃｔｒｏｎｉｃ  Ｐｒｏｇｒａｍ  Ｇｕｉｄｅ）情報を、映像信号等と共に電波に乗せるようにしてある。
【０００５】
そこで、デジタル放送を受信して映像信号を抽出することが可能なテレビジョン装置は受信したデジタルデータからＥＰＧ情報を抽出し、表示装置を介して番組表を表示することができる。また、このテレビジョン装置を備えてデジタル放送を録画することが可能なビデオレコーダ等の記録装置でも、受信したデジタルデータからＥＰＧ情報を抽出して表示装置に出力し、表示装置を介して番組表を表示させることができる。
【０００６】
また、デジタル放送規格に準拠するテレビジョン装置は、ＥＰＧ情報に基づいて出力した番組表からユーザが選択する番組を検知し、選択された番組のチャンネル及び開始／終了時刻の情報をＥＰＧ情報に基づいて抽出する。テレビジョン装置は選択された番組の開始時刻に到達した場合に、表示する番組のチャンネルを選択されたチャンネルに自動的に設定を変更する予約が可能である。テレビジョン装置を備える記録装置でも、選択されたチャンネルに自動的に設定を変更して記録を開始する録画予約が可能である。
【０００７】
ところが、デジタル放送を受信して映像信号を出力するテレビジョン装置を備える表示装置又は記録装置は、家族などの複数のユーザで一つの装置を使用する場合が多い。従って、視聴予約又は録画予約を行った後に、一のユーザが、予約を行った他のユーザによる視聴予約又は録画予約の時刻に予約番組以外の番組を観たい又は記録させたい場合がある。
【０００８】
この場合、一のユーザが、予約を行った他のユーザの承諾なくチャンネルの設定を変更してしまい、視聴予約を行った他のユーザが予約した番組を観ることができない場合、又は録画予約した他のユーザが予約した番組を記録させることができない場合が起こり得る。
【０００９】
そこで、録画予約がされてあり、予約時刻到達後に当該録画予約に基づいてチャンネルを設定して録画している間に、予約に係るチャンネル以外のチャンネルへ設定を変更する操作が一のユーザによってされた場合、チャンネルの設定を変更せず録画予約がされている旨を示す警告を表示装置を介して表示する技術が開示されている（特許文献１）。これにより、録画予約した番組以外の番組が記録されることを回避することができる。
【００１０】
一方、一のユーザが他のユーザによる録画予約に係る時刻に予約番組以外の番組を観たい場合又は録画予約を行いたい場合、先に録画予約を行った他のユーザが誰であるのかを判別することにより録画予約を中止してもよいか否かを該当する他のユーザに確認することができるとも考えられる。これに対し、録画予約を行った他のユーザを判別するために、予約された番組に対応付けてユーザを識別する情報を記憶する技術が開示されている（特許文献２）。
【特許文献１】特開平１０−１６２４４８号公報
【特許文献２】特開２００５−８００１２号公報
【発明の開示】
【発明が解決しようとする課題】
【００１１】
しかしながら、特許文献１で開示されている技術では、録画予約がされているためにチャンネルを変更できない旨の警告が画面に表示されるのみであり、警告が表示されたとしても自分が予約した場合以外は当該予約が他の何れのユーザによってされたかが不明であるため、予約してある番組以外のチャンネルへ切り替えてよいか否かをユーザが判断することができない。
【００１２】
また、特許文献２で開示されている技術は、録画予約したユーザが誰であるのかを判別するのはユーザと該ユーザが予約した番組との対応を記憶することにより、ユーザ毎に番組の嗜好を特定することを目的とする。そのため、他のユーザが予約していることを通知するために使用することは考慮されていない。
【００１３】
本発明は、斯かる事情に鑑みてなされたものであり、予約の操作を受け付ける場合に予約に係る付加情報を共に受け付け、予約の情報と付加情報とを対応付けて記憶しておき、予約に係るテレビジョン放送の映像信号を出力中にチャンネルの設定を変更する操作を受け付けたとき、予約に係る映像信号を出力中である旨に加え予約に係る付加情報も出力する構成とすることにより、ユーザが他のユーザの予約に係るテレビジョン番組以外を視聴又は録画するためにチャンネルの設定を変更してもよいか否かを判断することができるテレビジョン装置を提供することを主たる目的とする。
【００１４】
また、本発明の他の目的は、予約に係るテレビジョン番組を表示中又は録画中にチャンネル操作を受け付けた場合、予約に係る映像信号を出力中である旨を出力しチャンネルの設定変更を実行するか否かの選択を受け付け、変更する選択を受け付けたときは予約に係る映像信号を出力中であるにも拘わらずチャンネルの設定を変更する構成とすることにより、他のユーザの予約に係るテレビジョン番組以外の番組を視聴又は録画することができるテレビジョン装置を提供することにある。
【００１５】
また、本発明の他の目的は、視聴予約又は録画予約の予約時刻に到達し予約に係るチャンネルに自動的に設定を変更する場合チャンネルの設定を変更する旨を出力し、予約に基づいてチャンネルの設定を変更するか否かの選択を受け付け、設定を変更しない選択を受け付けたときは予約に拘わらずチャンネルの設定変更を中止する構成とすることにより、他のユーザの予約に基づいてチャンネルが強制的に設定変更されることを回避し、一のユーザが予約に係るテレビジョン番組以外の番組を視聴又は録画することができるテレビジョン装置を提供することにある。また、他のユーザによる予約に係る付加情報を出力する構成とすることにより、一のユーザがチャンネルの設定の変更を中止してもよいかを判断することができるテレビジョン装置を提供することにある。
【００１６】
また、本発明の他の目的は、視聴予約又は録画予約を受け付ける場合に受け付けた予約時刻と他のユーザによる予約の予約時刻とが重複しているときは、他のユーザによる予約に係る付加情報を出力する構成とすることにより、他のユーザによる予約と重複する場合に予約を行うことができない事態を回避し、一のユーザが他のユーザによる予約を解除してもよいか否かを判断することができるテレビジョン装置を提供することにある。
【００１７】
また、本発明の他の目的は、予約の操作の際に共に受け付ける付加情報を予約したユーザを識別する情報及び予約の重要度を示す情報、又は何れか一方とする構成により、ユーザが他のユーザの予約に係るテレビジョン番組以外を視聴又は録画するためにチャンネルを変更してもよいか否かを予約した他のユーザに聞くことができ、また、予約の重要度に基づいて判断することができるテレビジョン装置を提供することにある。
【課題を解決するための手段】
【００１８】
本発明に係るテレビジョン装置は、テレビジョン放送の信号を受信する手段と、チャンネルの設定を受け付ける手段と、設定されたチャンネルに基づいて、受信したテレビジョン放送の信号を出力する手段と、予約時刻に、予約チャンネルに設定する予約を受け付ける予約受付手段と、受け付けた予約に基づいて、予約時刻に到達した場合は予約チャンネルへチャンネルの設定を変更する手段とを備えるテレビジョン装置において、前記予約受付手段で予約を受け付ける場合に、付加情報の入力を受け付ける手段と、予約に対応付けて前記付加情報を記憶する手段と、予約に基づくテレビジョン放送の信号の出力中に、チャンネルの設定を受け付けた場合、予約に基づくテレビジョン放送の信号を出力中である旨を出力する手段と、予約に対応する付加情報を出力する手段とを備えることを特徴とする。
【００１９】
これにより、テレビジョン装置は予約を受け付ける場合に予約に係る付加情報を受け付けて記憶する。予約に基づくテレビジョン放送の信号を出力中にチャンネルの設定を変更する操作を受け付けた場合は、予約に基づくテレビジョン放送の信号を出力中である旨を出力するとともに予約に係る付加情報を出力する。
【００２０】
本発明に係るテレビジョン装置は、予約に基づくテレビジョン放送の映像信号の出力中にチャンネルの設定を受け付けた場合、チャンネルの設定を変更するか否かの選択を受け付ける手段と、変更する選択を受け付けた場合は、予約に基づくテレビジョン放送の信号の出力中であることに拘わらずチャンネルの設定を変更する手段とを備えることを特徴とする。
【００２１】
これにより、テレビジョン装置は予約に基づくテレビジョン放送の信号を出力中にチャンネル変更操作を受け付けた場合、チャンネルの設定の変更を実行するか否かの選択を受け付ける。チャンネルの変更を実行する選択を受け付けた場合、予約に拘わらずチャンネルを変更する。
【００２２】
本発明に係るテレビジョン装置は、予約時刻に到達し、予約されたチャンネルへ設定を変更する場合に、予約チャンネルへ設定を変更する旨を出力する手段と、予約に係る前記付加情報を出力する手段と、予約チャンネルへの設定の変更を実行するか否かの選択を受け付ける手段と、予約チャンネルへの設定の変更を実行しない選択を受け付けた場合は、予約に拘わらず、チャンネルの設定の変更を中止する手段とを備えることを特徴とする。
【００２３】
これにより、テレビジョン装置は予約時刻に到達してチャンネルを変更する場合、予約に係る付加情報を出力してチャンネルの変更を実行するか否かの選択を受け付ける。チャンネルの変更を実行しない選択を受け付けた場合は予約に拘わらずチャンネルの設定の変更を中止する。
【００２４】
本発明に係るテレビジョン装置は、前記予約受付手段で予約を受け付ける場合に、受け付けた予約時刻と他の予約の予約時刻とが重複しているか否かを判断する手段と、他の予約と予約時刻が重複していると判断したとき、他の予約に係る付加情報を出力する手段とを備えることを特徴とする。
【００２５】
これにより、テレビジョン装置は予約時刻にチャンネルの設定を変更する予約を受け付けた場合、受け付けた予約に係る予約時刻と他の予約に係る予約時刻とが重複するか否かを判断し、重複すると判断した場合は予約に基づいてテレビジョン放送の映像信号を出力中である旨を出力する。更に、予約に係る付加情報を出力する。
【００２６】
本発明に係るテレビジョン装置は、前記付加情報は、予約者を識別する予約者識別情報及び予約の重要度を示す重要度情報、又は何れか一方であることを特徴とする。
【００２７】
これにより、テレビジョン装置は、視聴予約を受け付ける場合に予約したユーザを識別する情報及び予約の重要度を示す情報、又は何れか一方を受け付けて記憶する。予約に基づくテレビジョン放送の映像信号を出力中にチャンネル変更操作を受け付けた場合、予約時刻に到達して予約チャンネルへ設定を変更する場合、又は、予約が他の予約と予約時刻が重複すると判断した場合は、予約に係る付加情報として記憶してある予約したユーザを識別する情報及び予約の重要度を示す情報、又は何れか一方を出力する。
【発明の効果】
【００２８】
本発明による場合は、予約の際予約に係る付加情報を対応付けて記憶しておき、予約に基づいてテレビジョン放送の信号を出力中にチャンネルの設定変更の操作を受け付けた場合、他のユーザによる予約に係るテレビジョン放送の信号を出力中である旨と予約に係る付加情報とを出力する構成とすることにより、当該テレビジョン装置からの出力を表示装置を介して表示することで、ユーザは他のユーザの予約に係るテレビジョン放送の信号を出力中である旨だけでなく予約に係る付加情報を認識することができる。そのため、ユーザは付加情報に基づいてチャンネルの設定を変更してもよいか否かを判断することができる。
【００２９】
本発明による場合は、視聴予約又は録画予約に基づいてテレビジョン番組を表示中又は録画中にチャンネルの変更操作を受け付けた場合に、チャンネルの設定を変更するか否かの選択を受け付け、変更する選択を受け付けたときは予約に係る番組の表示又は録画中に拘わらずチャンネルの設定を変更する構成とすることにより、ユーザは他のユーザによる視聴予約又は録画予約に基づく視聴又は録画中であってもチャンネルの設定を変更して他のテレビジョン番組を視聴又は録画することができる。
【００３０】
本発明による場合は、視聴予約又は録画予約に基づいて予約時刻に到達した際、予約に係るチャンネルに設定を変更する場合に予約に係る付加情報を出力し、チャンネルの設定変更を実行するか否かを受け付け、設定変更を実行しない選択を受け付けた場合は予約に拘わらずチャンネルの設定の変更を中止する構成とすることにより、他のユーザが予約した番組へチャンネルの設定が強制的に変更されることを回避し、ユーザはチャンネルの設定の変更を中止してもよいか否かを判断することができ、他のユーザが予約した番組以外の番組を視聴又は録画することができる。
【００３１】
本発明による場合は、視聴予約又は録画予約を受け付ける場合に他のユーザによる予約の予約時刻と重複しているときは、他のユーザによる予約に係る付加情報を出力する構成とすることにより、ユーザは他のユーザによる予約を解除してチャンネルの設定を変更してもよいか否かを判断することができ、他のユーザが予約した番組以外の番組の視聴又は録画について予約することができる。
【００３２】
本発明による場合は、予約の際に予約したユーザを識別することができる予約者識別情報及び予約の重要度を示す重要度情報、又は何れか一方を予約に対応付けて記憶しておき、予約に基づくテレビジョン放送の映像信号を出力中にチャンネル変更操作を受け付けた場合、予約時刻に到達して予約チャンネルへ設定を変更する場合、又は、予約が他の予約と予約時刻が重複すると判断した場合に、予約に係る予約者識別情報及び重要度情報、又は何れか一方を出力する構成とする。これにより、テレビジョン装置からの出力を表示装置を介して表示することで、ユーザは他のユーザの予約に係るテレビジョン放送の映像信号を出力中である旨だけでなく予約を行った他のユーザを判別することができる。そのため、ユーザは予約を行った他のユーザにチャンネルの設定を変更してもよいか否か、設定の変更を中止してもよいか否かを聞くことができ、チャンネルの設定の変更について判断することができる。また、ユーザは予約の重要度を判別することができるため、予約の重要度を参考にチャンネルの設定を変更してもよいか否か、又は設定の変更を中止してもよいか否かを判断することができる。
【発明を実施するための最良の形態】
【００３３】
以下本発明をその実施の形態を示す図面に基づき具体的に説明する。
【００３４】
（実施の形態１）
実施の形態１では、本発明に係るテレビジョン装置として、映像を表示するディスプレイと音声を出力するスピーカとを更に備えてデジタル放送を受信し、受信したデジタル放送の信号に基づいて音声と共に映像を表示する表示装置を例に説明する。図１は、本発明の実施の形態１における表示装置１の構成を示すブロック図である。表示装置１は、少なくとも、制御部１０と、記憶部１１と、操作部１２と、受信部１３と、復号部１４と、映像出力部１５と、音声出力部１６と、ディスプレイ１７と、スピーカ１８とを備える。
【００３５】
制御部１０は、表示装置１全体の動作を制御する。記憶部１１には、少なくとも、デジタル放送の番組表情報（ＥＰＧ；Ｅｌｅｃｔｒｏｎｉｃ  Ｐｒｏｇｒａｍ  Ｇｕｉｄｅ）、及び、予約時刻、予約チャンネル等の予約情報が記憶される。
【００３６】
操作部１２は、チャンネル変更ボタン、番組表ボタン等の各種ボタン等を有しており、ユーザは、当該操作部１２が有するチャンネル変更ボタンの押下によりチャンネルを設定する操作を行うことができる。制御部１０は、操作部１２のチャンネル変更ボタンを介してユーザが設定したチャンネルを検知することができる。尚、操作部１２は、各種ボタン等を有するリモートコントローラにより構成して赤外線通信等によって操作部１２の操作を制御部１０により検知することが可能な構成としてもよい。
【００３７】
受信部１３は、図示しないバッファメモリを有し、テレビジョン放送の信号を受信して一時的にバッファメモリに記憶する。デジタル放送では、テレビジョン放送の信号はＭＰＥＧ−２規格に基づいて構成され、映像信号、音声信号、その他番組情報等の信号を夫々圧縮符号化したデジタルデータを多重化した信号である。また、制御部１０が前記操作部１２を介して設定されたチャンネルを検知し、検知したチャンネルを示す情報を受信部１３に通知することにより、受信部１３は通知されたチャンネルに対応する信号を抽出してバッファメモリに記憶する。
【００３８】
復号部１４は、図示しないバッファメモリを有し、受信部１３のバッファメモリから読み出した信号をＭＰＥＧ−２規格に基づいて復号し、復号して得られたデータを復号部１４が有するバッファメモリに一時的に記憶する。復号部１４は、多重化された信号を夫々の識別信号の判別により映像データ、音声データ、番組表データ等に分離し、分離して得られた映像データ及び音声データを圧縮符号化する前の映像信号及び音声信号に復号し、夫々の時間情報に基づいて映像信号と音声信号とが時間的に同期するようにバッファメモリに記憶する。
【００３９】
尚、デジタル放送では、多重化信号としてＭＰＥＧ−２ＴＳ（Ｔｒａｎｓｐｏｒｔ  Ｓｔｒｅａｍ）を採用し、圧縮符号化した映像データ、音声データ、その他番組表等のデータを夫々固定長のパケットに分割して送信するように規定されている。また、ＭＰＥＧ−２ＴＳ規格ではパケット毎に当該パケットが映像データを含むか、音声データを含むか等を判別することが可能なように識別信号を付与するように規定されている。
【００４０】
また、復号部１４は、分離した番組表データから番組表情報を抽出する。デジタル放送では、ＭＰＥＧ−２ＴＳの規格に基づいてＥＰＧ情報を含むパケットを定期的に送信するように規定されている。制御部１０は、復号部１４により抽出した番組表情報を読み出して記憶部１１に記憶する。更に、制御部１０は、操作部１２を介して番組表ボタンの押下を検知した場合、記憶した番組表情報に基づいてディスプレイ１７に番組表を表示するための信号を生成し映像出力部１５に送信する。
【００４１】
映像出力部１５には、映像を表示する液晶表示装置等からなるディスプレイ１７が接続されている。映像出力部１５は、復号部１４のバッファメモリに記憶された映像信号を読み出してディスプレイ１７で映像表示できるようにディスプレイ１７用の信号に変換し、変換した信号をディスプレイ１７に出力する。また、映像出力部１５は、制御部１０により送信された番組表を表示するための信号をディスプレイ１７に出力する。
【００４２】
音声出力部１６には、音声を出力するスピーカ１８が接続されている。音声出力部１６は、復号部１４のバッファメモリに記憶された音声信号を読み出して、スピーカ１８で出力できるように変換し、変換した信号をスピーカ１８に出力する。
【００４３】
上述のように構成された表示装置１において、制御部１０が視聴予約を受け付けて記憶する処理について説明する。図２は、実施の形態１における表示装置１の制御部１０が予約を受け付けて記憶する処理手順を示すフローチャートである。
【００４４】
制御部１０は、受信部１３、復号部１４、映像出力部１５、及び音声出力部１６により、設定されているチャンネルに対応する映像信号のディスプレイ１７での表示、及び音声信号のスピーカ１８での出力の処理を行っている間に操作部１２の番組表ボタンの押下を検知したか否かを判断する（ステップＳ１０１）。制御部１０は、番組表ボタンの押下を検知していないと判断した場合は（Ｓ１０１：ＮＯ）、処理をステップＳ１０１へ戻し、番組表ボタンの押下を検知したと判断するまで映像信号及び音声信号の表示、出力処理を継続する。
【００４５】
制御部１０は、操作部１２を介して番組表ボタンの押下を検知した場合は（Ｓ１０１：ＹＥＳ）、記憶部１１に記憶している番組表情報に基づいてディスプレイ１７に番組表を表示するための信号を生成し、映像出力部１５を介してディスプレイ１７に出力する（ステップＳ１０２）。このとき番組表を表示するための信号を受信した映像出力部１５から出力される信号により、ディスプレイ１７には番組表が表示されてユーザにより視認が可能である。またユーザは、操作部１２を介して番組表から番組を選択することができる。
【００４６】
次に、制御部１０は、操作部１２を介してユーザによる番組の選択を検知したか否かを判断する（ステップＳ１０３）。制御部１０は、ユーザによる番組の選択を検知していないと判断した場合は（Ｓ１０３：ＮＯ）、処理をステップＳ１０３へ戻し、ユーザによる番組の選択を検知したと判断するまで待機する。尚、制御部１０は、番組表の表示中に番組の選択を検知することなく番組表ボタンの押下を再度検知した場合は、処理をステップＳ１０１へ戻し、番組表を非表示として処理を終了し映像信号及び音声信号の表示、出力処理を継続してもよい。
【００４７】
制御部１０は、ユーザによる番組の選択を検知したと判断した場合は（Ｓ１０３：ＹＥＳ）、視聴予約を行うか否かの旨を表示するための信号を映像出力部１５を介してディスプレイ１７に出力する（ステップＳ１０４）。制御部１０は、ステップＳ１０４で表示した視聴予約を行うか否かの表示に対し、ユーザによる選択が視聴予約を行う選択であるか否かを判断する（ステップＳ１０５）。制御部１０は、ユーザによる選択が視聴予約を行う選択ではないと判断した場合は（Ｓ１０５：ＮＯ）、処理をステップＳ１０２へ戻し、ディスプレイ１７に番組表を表示する信号を送信して（Ｓ１０２）番組の選択を検知したか否かの判断（Ｓ１０３）を継続する。
【００４８】
制御部１０は、ユーザによる選択が視聴予約を行う選択であると判断した場合は（Ｓ１０５：ＹＥＳ）、予約したユーザを識別する予約者識別情報及び予約の重要度を示す重要度情報の選択を受け付ける（ステップＳ１０６）。このとき、ディスプレイ１７には複数の予約者識別情報と複数の重要度情報とが表示されており、ユーザにより操作部１２を介して夫々選択が可能である。
【００４９】
制御部１０は、受け付けた予約者識別情報及び重要度情報を判別する（ステップＳ１０７）。また、制御部１０は、ステップＳ１０３で選択された番組の開始・終了時刻及びチャンネルを記憶部１１に記憶している番組表情報から読み出す（ステップＳ１０８）。制御部１０は、読み出した開始・終了時刻及びチャンネルの情報を予約時刻及び予約チャンネルの予約情報として記憶し（ステップＳ１０９）、当該予約情報に判別した予約者識別情報及び重要度情報を対応付けて記憶部１１に記憶し（ステップＳ１１０）処理を終了する。
【００５０】
次に、表示装置１の制御部１０が記憶部１１に記憶した予約情報に基づいてチャンネルの設定を変更した後に操作部１２を介してチャンネルの設定を受け付けた場合、予約に基づいて処理中である旨を示す情報を出力する処理について説明する。図３は、実施の形態１における表示装置１の制御部１０が、予約に基づく処理中にチャンネルの設定を受け付けた場合の処理手順を示すフローチャートである。
【００５１】
制御部１０は、記憶部１１から予約情報を読み出し（ステップＳ２０１）、読み出した予約情報の予約時刻に到達したか否かを判断する（ステップＳ２０２）。制御部１０は、予約時刻に到達していないと判断した場合は（Ｓ２０２：ＮＯ）、処理をステップＳ２０２へ戻し、予約時刻に到達したと判断するまで待機する。
【００５２】
制御部１０は、予約時刻に到達したと判断した場合は（Ｓ２０２：ＹＥＳ）、当該予約情報の予約チャンネルへチャンネルの設定を変更し（ステップＳ２０３）、予約チャンネルに対応する映像信号のディスプレイ１７での表示、及び音声信号のスピーカ１８での出力の処理を受信部１３、復号部１４、映像出力部１５、及び音声出力部１６を介して行う。
【００５３】
制御部１０は、予約に係る映像表示及び音声出力の処理中に操作部１２を介してチャンネル変更ボタンの押下を検知したか否かを判断する（ステップＳ２０４）。制御部１０は、チャンネル変更ボタンの押下を検知していないと判断した場合は（Ｓ２０４：ＮＯ）、処理をステップＳ２０４に戻して予約チャンネルに対応する映像信号のディスプレイ１７での表示及び音声信号のスピーカ１８での出力の処理を継続し、チャンネル変更ボタンの押下を検知するまで待機する。
【００５４】
制御部１０は、チャンネル変更ボタンの押下を検知したと判断した場合は（Ｓ２０４：ＹＥＳ）、予約に基づいて実行中である旨、予約を解除してチャンネルの設定を変更するか否かの旨、予約者識別情報、及び重要度情報を表示するための信号を映像出力部１５を介してディスプレイ１７に出力する（ステップＳ２０５）。
【００５５】
この場合、制御部１０は、映像表示及び音声出力の処理を予約に基づいて実行中であることを示すフラグ等の情報を記憶部１１に記憶しておくことにより、当該フラグが記憶部１１で記憶されている場合にチャンネルの設定を受け付けたときは、ステップＳ２０５により予約に基づいて実行中である旨、チャンネルの設定を変更するか否かの旨、予約者識別情報、及び重要度情報を表示するための信号を出力すると判断する構成としてもよい。
【００５６】
次に、制御部１０は、ステップＳ２０５で表示したチャンネルの設定を変更するか否かの表示に対しユーザによる選択がチャンネルの設定を変更する選択であるか否かを判断する（ステップＳ２０６）。制御部１０は、ユーザによる選択がチャンネルの設定を変更する選択でないと判断した場合は（Ｓ２０６：ＮＯ）、処理をステップＳ２０４に戻し、予約に基づく映像信号のディスプレイ１７での表示及び音声信号のスピーカ１８での出力の処理中に、操作部１２を介してチャンネル変更ボタンの押下を検知したか否かの判断を継続する。制御部１０は、ユーザによる選択がチャンネルの設定を変更する選択であると判断した場合は（Ｓ２０６：ＹＥＳ）、チャンネルの設定を変更し（ステップＳ２０７）、処理を終了する。
【００５７】
以上の処理手順により、ユーザは表示装置１で他のユーザの予約に係る映像及び音声の出力中に他の番組を視聴したい場合、予約に係る付加情報を認識することができ、チャンネルの設定を変更してもよいか否かを判断することができる。
【００５８】
図４及び図５は、実施の形態１における表示装置１の制御部１０が映像出力部１５を介してディスプレイ１７に表示する画面の一例を示す説明図である。図４には、図２に示した制御部１０による処理手順のステップＳ１０６において、制御部１０が予約者識別情報及び重要度情報を受け付ける場合に、ディスプレイ１７で表示される画面の一例を示している。
【００５９】
図４（ａ）には、複数の予約者識別情報として予約メンバーの識別番号を示している。図４（ａ）には、下線により予約メンバーの識別番号として「２」が選択されていることを示している。ユーザが操作部１２を介して識別番号を選択することにより、制御部１０は予約者識別番号を予約に対応付けて記憶部１１に記憶することができる。この場合、当該表示装置１を共通して使用するユーザどうしで識別番号とユーザ夫々との対応を予め判別できるようにしておくことで、識別番号で誰が予約を行ったかを判断することが可能である。予約者識別情報としては図４（ａ）に示す識別番号以外に、ニックネーム等の名前を登録しておく構成としてもよい。
【００６０】
また、図４（ｂ）には、複数の重要度情報として高／中／低の三段階で区別された情報を示している。図４（ｂ）には、下線により予約の重要度として「低」が選択されていることを示している。予約するユーザが操作部１２を介して高／中／低の何れかを選択することにより、制御部１０は、重要度情報を予約に対応付けて記憶部１１に記憶することができる。尚、図４（ｂ）に示す重要度情報では、高／中／低の三段階で区別されているが、これに限らず五段階の重要度を数字で表す構成としてもよい。
【００６１】
図５には、図３に示した制御部１０による処理手順のステップＳ２０５において、制御部１０が、予約を解除してチャンネルの設定を変更するか否かの旨、予約者識別情報、及び重要度情報を表示するための信号を出力した場合に、ディスプレイ１７で表示される画面の一例を示している。図５（ａ）には、予約を解除してチャンネルの設定を変更するか否かに対し、はい／いいえを選択できることを示している。ユーザが操作部１２を介して、はい／いいえの何れかを選択することにより、制御部１０は、ユーザによる選択がチャンネルの設定を変更する選択であるか否かを判断することができる。また、図５（ｂ）には、当該予約の予約者識別情報が識別番号「２」であることを示している。ユーザは、予約したユーザが識別番号「２」に対応するユーザであることを認識することができる。更に図５の（ｃ）には、当該予約の重要度情報が「低」であることを示している。ユーザは重要度が「低」であることから、予約の重要度が低いことを認識することができる。
【００６２】
これにより、ユーザは予約に係る付加情報として予約したユーザ及び予約の重要度を認識することができ、チャンネルの設定を変更してよいか否かを当該付加情報に基づいて判断することができる。従って、ユーザは表示装置１で他のユーザの視聴予約に基づいて映像及び音声の出力中であってもチャンネルを変更して他の番組を視聴することができる。
【００６３】
また、実施の形態１では、予約者識別情報及び重要度情報を表示すると共に、チャンネルの設定を変更するか否かの旨を表示し、チャンネルの設定を変更する選択がされた場合に予約によるチャンネルの固定を解除してチャンネルの設定を変更する構成とした。これに限らず、予約に係るテレビジョン放送の信号の出力中に他のチャンネルへの設定の変更を受け付けた場合、予約に係る予約者識別情報及び重要度情報を表示するのみで終了する構成としてもよい。この場合、ユーザは、予約に係る予約者識別情報及び重要度情報を確認してチャンネルの設定を変更するか否かを判断した上でチャンネルの設定を変更すると判断した場合は改めて予約を解除する操作を行い、自分が視聴したい番組を視聴することができる。
【００６４】
（実施の形態２）
実施の形態２では、実施の形態１における表示装置１が、表示処理中に予約時刻に到達した場合は当該予約に係る付加情報を出力して予約チャンネルへの設定の変更を実行するか否かの選択を受け付ける。
【００６５】
実施の形態２における表示装置１のハードウェア構成は、実施の形態１と同様であるため説明を省略し、表示装置１の制御部１０が映像信号及び音声信号の出力処理中に予約時刻に到達した場合、予約に係る付加情報を出力し予約チャンネルへの設定の変更を実行するか否かの選択を受け付ける処理について同一の符号を用いて説明する。
【００６６】
図６は、実施の形態２における表示装置１の制御部１０が、予約時刻に到達した場合に予約チャンネルへ設定を変更するときに予約に係る付加情報を出力してチャンネルの設定の変更を実行するか否かの選択を受け付ける処理手順を示すフローチャートである。
【００６７】
制御部１０は、記憶部１１から予約情報を読み出し（ステップＳ３０１）、読み出した予約情報の予約時刻に到達したか否かを判断する（ステップＳ３０２）。制御部１０は、予約時刻に到達していないと判断した場合は（Ｓ３０２：ＮＯ）、処理をステップＳ３０２へ戻し、予約時刻に到達したと判断するまで待機する。
【００６８】
制御部１０は、予約時刻に到達したと判断した場合は（Ｓ３０２：ＹＥＳ）、予約に基づいてチャンネルの設定の変更を実行するか否かの旨、予約者識別情報、及び重要度情報を表示するための信号を映像出力部１５を介してディスプレイ１７に出力する（ステップＳ３０３）。
【００６９】
次に、制御部１０は、ステップＳ３０３で表示したチャンネルの設定の変更を実行するか否かの表示に対してユーザによる選択がチャンネルの設定の変更を実行する選択であるか否かを判断する（ステップＳ３０４）。制御部１０は、ユーザによる選択がチャンネルの設定の変更を実行する選択であると判断した場合は（Ｓ３０４：ＹＥＳ）、予約に基づいて予約チャンネルへチャンネルの設定を変更し（ステップＳ３０５）、処理を終了する。
【００７０】
一方、制御部１０は、ユーザによる選択がチャンネルの設定の変更を実行する選択でないと判断した場合は（Ｓ３０４：ＮＯ）、予約に基づくチャンネルの設定の変更を実行せず記憶部１１の当該予約情報の記憶を消去し（ステップＳ３０６）、処理を終了する。
【００７１】
以上の処理手順により、表示装置１で他のユーザの予約に基づいて確認なく強制的にチャンネルの設定が変更されることを回避することができる。ユーザは、予約に基づいてチャンネルの設定の変更を実行する場合に当該予約に係る付加情報を認識することができ、表示装置１にチャンネルの設定の変更を実行させるか否かを当該付加情報に基づいて判断することができる。
【００７２】
図７は、実施の形態２における表示装置１の制御部１０が映像出力部１５を介してディスプレイ１７に表示する画面の一例を示す説明図である。図７に示す例では、図６に示した制御部１０の処理手順のステップＳ３０３において、制御部１０が予約に基づいてチャンネルの設定の変更を実行するか否かの旨、予約者識別情報、及び重要度情報を表示するための信号を映像出力部１５を介してディスプレイ１７に出力した場合に、ディスプレイ１７で表示される画面の一例を示している。
【００７３】
図７（ａ）には、予約に基づいて視聴するか否かに対し、はい／いいえを選択できることを示している。ユーザが操作部１２を介して、はい／いいえの何れかを選択することにより、制御部１０は、ユーザによる選択がチャンネルの設定の変更を実行する選択であるか否かを判断することができる。また、図７（ｂ）には、当該予約の予約者識別情報が識別番号「２」であることを示している。ユーザは、予約したユーザが識別番号「２」に対応するユーザであることを認識することができる。更に図７（ｃ）には、当該予約の重要度情報が「低」であることを示している。ユーザは重要度が「低」であることから、予約の重要度が低いことを認識することができる。
【００７４】
これにより、ユーザは、予約に係る付加情報として予約したユーザ及び予約の重要度を認識することができ、予約に基づいてチャンネルの設定の変更を実行させるか否かを当該付加情報に基づいて判断することができる。従って、ユーザは他のユーザが予約した番組以外の番組を視聴することができる。
【００７５】
（実施の形態３）
実施の形態３では、実施の形態１における表示装置１が予約を受け付けた場合に当該予約時刻が他の先の予約と重複するとき先の予約に係る付加情報を出力し、先の予約を解除するか否かの選択を受け付ける。
【００７６】
実施の形態３における表示装置１のハードウェア構成は実施の形態１と同様であるため説明を省略し、表示装置１の制御部１０が予約を受け付けた場合に当該予約時刻が先の予約と重複するとき、先の予約を解除するか否かの選択を先の予約に係る付加情報とともに出力する処理について同一の符号を用いて説明する。
【００７７】
図８及び図９は、本発明の実施の形態３における表示装置１の制御部１０が予約を受け付けた場合に当該予約時刻が先の予約と重複するとき、先の予約を解除するか否かの選択を受け付ける処理手順を示すフローチャートである。
【００７８】
制御部１０は、受信部１３、復号部１４、映像出力部１５、及び音声出力部１６により、設定されているチャンネルに対応する映像信号のディスプレイ１７での表示、及び音声信号のスピーカ１８での出力の処理を行っている間に操作部１２の番組表ボタンの押下を検知したか否かを判断する（ステップＳ４０１）。制御部１０は、番組表ボタンの押下を検知していないと判断した場合は（Ｓ４０１：ＮＯ）、処理をステップＳ４０１へ戻し、番組表ボタンの押下を検知したと判断するまで映像信号及び音声信号の表示、出力処理を継続する。
【００７９】
制御部１０は、操作部１２を介して番組表ボタンの押下を検知した場合は（Ｓ４０１：ＹＥＳ）、記憶部１１に記憶している番組表情報に基づいてディスプレイ１７に番組表を表示するための信号を生成し、映像出力部１５を介してディスプレイ１７に出力する（ステップＳ４０２）。このとき番組表を表示するための信号を受信した映像出力部１５から出力される信号により、ディスプレイ１７には番組表が表示されてユーザにより視認が可能である。またユーザは操作部１２を介して番組表から番組を選択することができる。
【００８０】
次に、制御部１０は、操作部１２を介してユーザによる番組の選択を検知したか否かを判断する（ステップＳ４０３）。制御部１０は、ユーザによる番組の選択を検知していないと判断した場合は（Ｓ４０３：ＮＯ）、処理をステップＳ４０３へ戻し、ユーザによる番組の選択を検知したと判断するまで待機する。尚、制御部１０は、番組表の表示中に番組の選択を検知することなく番組表ボタンの押下を再度検知した場合は、処理をステップＳ４０１へ戻し、番組表を非表示として処理を終了して映像信号及び音声信号の表示、出力処理を継続してもよい。
【００８１】
制御部１０は、ユーザによる番組の選択を検知したと判断した場合は（Ｓ４０３：ＹＥＳ）、視聴予約を行うか否かの旨を表示するための信号を映像出力部１５を介してディスプレイ１７に出力する（ステップＳ４０４）。制御部１０は、ステップＳ４０４で表示した視聴予約を行うか否かの表示に対し、ユーザによる選択が視聴予約を行う選択であるか否かを判断する（ステップＳ４０５）。制御部１０は、ユーザによる選択が視聴予約を行う選択ではないと判断した場合は（Ｓ４０５：ＮＯ）、処理をステップＳ４０２へ戻し、ディスプレイ１７に番組表を表示する信号を送信して（Ｓ４０２）、番組の選択を検知したか否かの判断（Ｓ４０３）を継続する。
【００８２】
制御部１０は、ユーザによる選択が視聴予約を行う選択であると判断した場合は（Ｓ４０５：ＹＥＳ）、ステップＳ４０３で選択された番組の開始・終了時刻及びチャンネルを記憶部１１に記憶している番組表情報から読み出す（ステップＳ４０６）。制御部１０は、記憶部１１に記憶されている予約情報を読み出し（ステップＳ４０７）、ユーザによって選択された番組の開始・終了時刻が読み出した予約情報の予約時刻と重複するか否かを判断する（ステップＳ４０８）。
【００８３】
制御部１０は、読み出した予約情報の予約時刻と重複しないと判断した場合は（Ｓ４０８：ＮＯ）、予約したユーザを識別する予約者識別情報及び予約の重要度を示す重要度情報の選択を受け付ける（ステップＳ４０９）。このとき、ディスプレイ１７には複数の予約者識別情報と複数の重要度情報とが表示されており、ユーザにより操作部１２を介して夫々選択が可能である。制御部１０は、受け付けた予約者識別情報及び重要度情報を判別する（ステップＳ４１０）。また制御部１０は、読み出した予約時刻及び予約チャンネルの情報を予約情報とし、該予約情報に判別した予約者識別情報及び重要度情報を対応付けて記憶部１１に記憶し（ステップＳ４１１）、処理を終了する。
【００８４】
制御部１０は、読み出した予約情報の予約時刻と重複すると判断した場合は（Ｓ４０８：ＹＥＳ）、先の予約と重複している旨、先の予約を解除して予約するか否かの旨、先の予約の予約者識別情報、及び先の予約の重要度情報を表示するための信号を、映像出力部１５を介してディスプレイ１７に出力する（ステップＳ４１２）。
【００８５】
制御部１０は、ステップＳ４１２で表示した先の予約を解除して予約を行うか否かの表示に対し、ユーザによる選択が先の予約を解除して予約を行う選択であるか否かを判断する（ステップＳ４１３）。制御部１０は、ユーザによる選択が先の予約を解除して予約を行う選択であると判断した場合は（Ｓ４１３：ＹＥＳ）、先の予約の情報を消去し（ステップＳ４１４）、処理をステップＳ４０９へ戻してステップＳ４０９〜Ｓ４１１の処理によって選択された番組の開始・終了時刻及びチャンネルを番組表情報から読み出して予約情報として記憶して処理を終了する。
【００８６】
一方、制御部１０は、ユーザによる選択が先の予約を解除して予約を行う選択でないと判断した場合は（Ｓ４１３：ＮＯ）処理を終了して予約を行わない。
【００８７】
以上の処理手順により、ユーザは表示装置１で予約を行いたい場合に他のユーザによって先にされた予約と予約時刻が重複するとき、先の予約に係る付加情報を認識することができ、当該付加情報に基づいて先の予約を解除してもよいか否かを判断することができる。
【００８８】
図１０は、実施の形態３における表示装置１の制御部１０が映像出力部１５を介してディスプレイ１７に表示する画面の一例を示す説明図である。図１０に示す例では、図８に示した制御部１０の処理手順のステップＳ４１２において、制御部１０が先の予約と重複している旨、先の予約を解除して予約するか否かの旨、先の予約の予約者識別情報、及び先の予約の重要度情報を表示するための信号を映像出力部１５を介してディスプレイ１７で表示される画面の一例を示している。
【００８９】
図１０（ａ）には、重複している先の予約を解除するか否かに対し、はい／いいえを選択できることを示している。ユーザが操作部１２を介して、はい／いいえの何れかを選択することにより、制御部１０は、ユーザによる選択が先の予約を解除して予約を行う選択であるか否かを判断することができる。また、図１０（ｂ）には、当該予約の予約者識別情報が識別番号「２」であることを示している。ユーザは、予約に係るユーザが識別番号「２」に対応するユーザであることを認識することができる。更に図１０（ｃ）には、当該予約の重要度情報が「低」であることを示している。ユーザは重要度が「低」であることから、予約の重要度が低いことを認識することができる。
【００９０】
これにより、ユーザは、重複する先の予約に係る付加情報として予約したユーザ及び予約の重要度を認識することができ、重複する他のユーザの予約を解除してもよいか否かを当該付加情報に基づいて判断することができる。従って、ユーザは他のユーザが予約した番組以外の番組の視聴予約を行うことができる。
【００９１】
尚、実施の形態１乃至３では、付加情報として予約者識別情報及び重要度情報の何れも出力する構成としたが、これに限らず何れか一方のみを出力する構成としてもよい。
【００９２】
また、実施の形態１乃至３では、予約を解除してもよいか否かを判断するための付加情報として、予約者識別情報及び重要度情報の何れも出力する構成とした。しかし本発明は、付加情報はユーザが予約を解除してもよいか否かを判断できる情報であればこれらに限るものではない。例えば、予約の際に予約したユーザによるメッセージの入力を受け付けて予約に基づく信号の出力中にチャンネルの変更を受け付けた場合等に、予約したユーザのメッセージを出力して表示させることにより、ユーザは当該メッセージに基づいて予約を解除してもよいか否かを判断することができる。
【００９３】
尚、本発明に係るテレビジョン装置として、デジタル放送を受信し、受信したデジタル放送の信号に基づいて音声と共に映像をビデオテープ、ＤＶＤ、ＨＤＤ等の記録媒体に記録する記録装置として構成してもよい。この場合、実施の形態１乃至３における視聴予約は録画予約になる。他のユーザによる録画予約の予約時刻に到達して録画している間に、当該記録装置のデジタル放送の信号の受信機能及び復号機能を使用して、映像及び音声の出力部を介して表示装置１で他の番組を視聴したいと考えるユーザに対し、付加情報を出力して表示装置１で表示することにより、当該ユーザは録画予約を解除してもよいか否かを判断することができる。ユーザが当該記録装置のデジタル放送の信号の受信機能及び復号機能を使用して、映像及び音声の出力部を介して表示装置１で他の番組を視聴している場合に他のユーザによる録画予約の予約時刻に到達してチャンネルの設定を変更するとき、チャンネルの設定変更を実行するか否かの旨と付加情報を出力し、表示装置１で表示する。これにより、ユーザは録画予約を解除してチャンネルの設定変更を中止してもよいか否かを判断することができる。更に、ユーザが録画予約を行う際に、他のユーザにより時刻が重複する予約がされている場合、重複している先の予約を解除して予約を行うか否かの旨と付加情報を出力して表示装置１で表示することにより、ユーザは先の録画予約を解除して自分の録画予約を行ってもよいか否かを判断することができる。
【図面の簡単な説明】
【００９４】
【図１】本発明の実施の形態１における表示装置の構成を示すブロック図である。
【図２】実施の形態１における表示装置の制御部が予約を受け付けて記憶する処理手順を示すフローチャートである。
【図３】実施の形態１における表示装置の制御部が、予約に基づく処理中にチャンネルの設定を受け付けた場合の処理手順を示すフローチャートである。
【図４】実施の形態１における表示装置の制御部が映像出力部を介してディスプレイに表示する画面の一例を示す説明図である。
【図５】実施の形態１における表示装置の制御部が映像出力部を介してディスプレイに表示する画面の一例を示す説明図である。
【図６】実施の形態２における表示装置の制御部が、予約時刻に到達した場合に予約チャンネルへ設定を変更するときに予約に係る付加情報を出力してチャンネルの設定の変更を実行するか否かの選択を受け付ける処理手順を示すフローチャートである。
【図７】実施の形態２における表示装置の制御部が映像出力部を介してディスプレイに表示する画面の一例を示す説明図である。
【図８】本発明の実施の形態３における表示装置の制御部が予約を受け付けた場合に当該予約時刻が先の予約と重複するとき、先の予約を解除するか否かの選択を受け付ける処理手順を示すフローチャートである。
【図９】本発明の実施の形態３における表示装置の制御部が、予約を受け付けた場合に当該予約時刻が先の予約と重複するとき、先の予約を解除するか否かの選択を受け付ける処理手順を示すフローチャートである。
【図１０】実施の形態３における表示装置の制御部が映像出力部を介してディスプレイに表示する画面の一例を示す説明図である。
【符号の説明】
【００９５】
１  表示装置
１０  制御部
１１  記憶部
１２  操作部
１３  受信部
１５  映像出力部
【図１】
2008061138.tif 000003
【図２】
2008061138.tif 000004
【図３】
2008061138.tif 000005
【図４】
2008061138.tif 000006
【図５】
2008061138.tif 000007
【図６】
2008061138.tif 000008
【図７】
2008061138.tif 000009
【図８】
2008061138.tif 000010
【図９】
2008061138.tif 000011
【図１０】
2008061138.tif 000012